(57)【要約】【課題】  この発明は、誰でも簡単に持ち運びが出来て、且つ、少量のお湯で何処でも使用出来て、お風呂の代用品にもなる簡易保温入浴装置を開発提供することにある。【解決手段】  本発明の装置は、上記の問題を解決する為に、保温装置をケース型の中に凹みを形成して折り畳める様にし、且つ、持ち運びを容易にする為、ケース上面中央部に取手を取り付け、下面四角にはキャスターを取り付けることによって、コンパクトで誰でも簡単に持ち運びが出来る様にした、お風呂の代用品としても使用出来る簡易保温入浴装置。【選択図】  図５
2005066286.tif 000002
【特許請求の範囲】
【請求項１】
装置本体（Ｓ）が、二つに折り畳むことも出来る開閉可能で且つ、任意の開閉角度で一時固定可能であって、運搬用部材を装着したケース（１）と、該ケース上部の被装体（２）からなり、該ケース（１）の底部には、所定の深さ寸法（α）を有する保温装置（５）を装着し、該保温装置（５）の上面には、プラスチック・ビニール等の防水部材（１２）で被装したことを特徴とする簡易保温入浴装置。
【請求項２】
ケース（１）の保温装置（５）が、上部にニクロム線等の発熱体（３）を設け、下部には、断熱材（４）を敷設し、前記発熱体（３）の先端部には、給電用コード（９）と、温度コントローラ（１０）を設けたことを特徴とする請求項１記載の簡易保温入浴装置に、お湯入れ、人体を横たえる事が出来る装置。
【請求項３】
簡易入浴保温装置本体（Ｓ）の枕板（１４）を取り外し、寝ながらにして簡単に洗髪できる装置。
【発明の詳細な説明】
【発明の詳細な説明】
【技術分野】
【０００１】  この発明は、装置本体が折り畳み可能で、軽量で誰でも簡単に持ち運びが出来、且つ、何処でも使用可能な簡易保温入浴装置に関するものである。
【背景技術】
【０００２】  従来、入浴する場合は、固定された特定の設備が必要で、入浴者はその特定の場所迄行くか、体の自由の聞かない人は、介護者に抱えられて連れて行って貰うしか方法がなかった。【０００３】又、入浴の場合には、湯槽にお湯を張り、身体を沈めるか、サウナや蒸し風呂等で入浴するしか方法はなかった。
【発明が解決しようとする課題】
【０００４】  そこで、この発明は、誰でも簡単に持ち運びが出来て、何処でも使用出来て且つ、少量のお湯で、周りを濡らす事無く、お風呂の代用品にもなる簡易保温入浴装置を開発提供することにある。
【課題を解決するための手段】
【０００５】  上記の問題を解決する為に、簡易保温入浴装置をケース型に形成して折り畳める様にし、且つ、持ち運びを容易にする為、ケース上面中央部に取手（７）を取り付け、下面四角にはキャスター（６）を取り付けることによって、コンパクトで誰でも簡単に持ち運びが出来る様にした簡易保温入浴装置。
【発明を実施するための最良の形態】
【０００６】  次に、この発明の一実施例を図１〜図４に基いて説明すると、まず、部品構成は、大きく分けて２つに分けられ、１つは、ケース型に形成して折り畳み可能にし、何処にでも移動可能な簡易保温入浴装置本体（Ｓ）と、２つは、装置本体の上に人間（ｍ）が横に成り、該人間の身体上に掛けて使用する被装体（２）から構成される。【０００７】  まず、１つ目の簡易保温入浴装置本体（Ｓ）は、縦（Ｙ）横（Ｘ）幅（Ｔ）が所定寸法を有し、左右対称に開閉可能で、且つ、任意の開閉角度で固定可能で、且つ、持ち運び移動可能な機能を有するプラスチック・金属等の可塑性物質で形成された矩形のケース（１）を設け、該両矩形のケースの底部全面に、所定の深さ寸法（α）を有する保温装置（５）を装着し、該保温装置（５）の中には、上部にニクロム線等の発熱帯（３）と下部には、絶縁体（４）を全面に整埋設し、全体をプラスチック・ビニール等の防水部材（１２）を被装し、発熱帯（３）の先端部には、給電用のコード（９）と、温度コントローラ（１０）を装着したもので、そして頭部枕板（１４）を取外す事により、洗髪もする事の出来る装置である。【０００８】又、２つ目の被装体（２）は、縦（Ｙ’）横（Ｘ’）幅（Ｔ’）が所定寸法を有した保温装置（５）を設け、該保温装置（５）の中には、下部にニクロム線等の発熱帯（３）と上部には、絶縁体（４）を全面に埋設し、全体をビニール等の防水部材（１２）を被装し、且つ、発熱帯（３）の先端部には、給電用のコード（９）と、温度コントローラ（１０）を装着し、身体の上部に掛けて使用するものであり、さらに被装体の下部には、シャワーホース（２１）を装着しており、シャワーホース（２１）をポンプに接続することにより、お湯を噴出させることが出来るものである。【０００９】  次に、各装置の使用方法を説明すると、まず、簡易保温入浴装置本体（Ｓ）と被装体（２）は、簡易型のお風呂として使用する時には、最初にケース（１）を全開し横向きに寝かせ、予め、余熱を加えて装置本体（Ｓ）と被装体（２）を暖めた状態にして、その上にお湯を少量入れ、その後に人間（ｍ）が横に成り、更に、その上からお湯で辛需らしたタオル等の布材を被せ、その上に被装体（２）と加圧用掛け部材（８）を掛けて使用することにより、蒸し風呂の様な入浴状態を保つことが出来る、この事により、より好い入浴状態が得られる。【００１０】  深さ寸法（α）に入れるお湯量の増減により、西洋バスタブ風にも、蒸し風呂にもなる。【００１１】  人体が温まったら、人体を起こすか横にして人体を洗う、洗い終わったらポンプ（１６）のスイッチを押しポンプを稼動させシャワー（２２）にて人体のシャボンを洗い落とす、汚水は別ポンプにてバケツ等の汚水用タンクへ排出。【００１２】  頭部の枕板（１４）を取り外すと寝ながらにして簡単に髪を洗うことが出来る、洗髪後はポンプ（１６）のスイッチを入れポンプを稼動させシャワー（２２）にてシャボンを洗い流す、汚水は汚水タンク（１８）に溜まる。【００１３】又、この装置は横にして寝たままの状態で使用するだけでなく、装置本体に角度調整装置を設けることで、任意の角度（β）に固定する事が出来、身体を保温しながら、テレビを見たり本や雑誌を見たり、手芸等をする事も出来る。【００１４】  そして、この発明の各部装置には、使用者の体調に合わせて、自由に温度調節が出来る様、温度コントローラー（１０）を配設している。【００１６】  又、同時に複数の装置を使用する場合は、加熱等の危険性が有る為、過熱防止装置等の安全装置が付いた集中コントロールシステムを設ける。
【発明の効果】
【００１８】    の発明の簡易保温入浴装置本体（Ｓ）は、折り畳み式で、且つ、取手（７）とキャスター（６）が設けてある為、誰でも運搬が楽に出来て、何処でも手軽に使用出来る。
【００１９】  従って、風呂のない人や、寝たきりの人、半身不随の人、怪我人や病人、お年寄りの人、等を介護する人の強力な手助けとなる。
【００２０】  又、一般のお風呂の様に、お湯を多量に使用する必要が無い為、周りを濡らす事も無く、少量のお湯で最高の入浴効果が得られ、滑って転んだりその他の事故の心配がない。
【００２１】  又、この発明の簡易保温入浴装置（Ｓ）は、被装体（２）及びその被装体の上に乗せる加圧用掛け部材（８）を、使用する人の体調に合わせて被せたり、剥いだり自由に調整が出来る為、個々の入浴者の身体に優しく、休力の消耗が少なくて、蒸し風呂及び西洋バスタブと同様の感触、癒し効果が得られる。
【図面の簡単な説明】
【００２２】
【図１】  この発明の一実施例を示し、ケースを折り畳んだ時の（Ａ）は平面図、（Ｂ）は底面図である。
【図２】  この発明の一実施例を示し、ケースを折り畳んだ時の（Ａ）は右側面図、（Ｂ）は図１中のａ−ａ断面図である。
【図３】  この発明の一実施例を示し、ケース本体を全開した時の（Ａ）は平面図、（Ｂ）は底面図、（Ｃ）は（Ａ）ａ−ａの断面図である。
【図４】  この発明の一実施例を示し、被装体の（Ａ）は平面図、（Ｂ）は側面図、（Ｃ）はシャワーホース（２１）の断面図である。
【図５】  この発明の使用状態図を示し、（Ａ）は側面図、（Ｂ）は（Ａ）のａ−ａ断面図、である。
【図６】  この発明の使用状態図を示し、（Ａ）は簡易保温入浴装置本体（Ｓ）に人体が、入浴している平面図である、（Ｂ）は寝ながら洗髪をしている図である。
【図７】  この発明の使用状態図を示し、（Ａ）は本装置を使用しながら、テレビを見ている側面図で、（Ｂ）は本装置を使用しながら本を見ている側面図である。
【符号の説明】
１  ケース
Ｓ  簡易保温入浴装置本体
２  被装体
３  ニクロム線等の発熱体
４  断熱材
５  保温材
６  ケース用キャスター
７  ケース用取手
８  加圧用掛け部材
９  給電用コード
１０  温度コントローラー
１１  ビニール・ナイロンカバー
１２  防水部材
１３  人体型凹み
１４  枕板
１５  お湯タンク給排水口
１６  ポンプ
１７  シャワー用お湯タンク
１８  汚水受けタンク
１９  お湯
２０  ホース
２１  シャワーホース
２２  シャワー
Ｓ  簡易保温入浴装置本体
Ｘ  ケース折り畳み時の横寸法
Ｙ  ケース折り畳み時の縦寸法
Ｔ  ケース折り畳み時の厚さ寸法
Ｘ’  被装体の横寸法
Ｙ’  被装体の縦寸法
Ｔ’  被装体の厚さ寸法
ｍ  人間
ｔ  テレビ
ｂ  本
β  簡易保温入浴装置のケース折り畳み角度
α  保温装置の厚さ寸法
γ  折り畳ケースのゴム等繋ぎ目防水材
【図１】
2005066286.tif 000003
【図２】
2005066286.tif 000004
【図３】
2005066286.tif 000005
【図４】
2005066286.tif 000006
【図５】
2005066286.tif 000007
【図６】
2005066286.tif 000008
【図７】
2005066286.tif 000009